(57)【要約】      （修正有）【課題】腰痛者のみならず腰痛防止をする者やストレッチ愛好者が利用する腰痛改善用ストレッチベンチを提供する。【解決手段】腰痛改善用ストレッチベンチ９は、一部を構成する着座部材１０が木材や金属材又は樹脂材等で製作される。使用者がストレッチ運動をする際、ストレッチベンチの表面に着座すると共に足を伸延する。着座部材は１板で構成しても良いし、２枚の着座部材１０Ａ、１０Ｂを組み合わせて折り畳み式にしても良い。ストレッチベンチを使用するときは、着座部材の前方端に断面Ｔ字状把持部材１１を基点部Ｐの水平位置から傾斜角θ１を有して設置する。θ１＝３０°が好適である。断面Ｔ字状把持部材の垂直部１１ａの裏面には断面Ｌ字状フットベース１４を設置し、使用者の足裏接触面部を固着する。断面Ｌ字状フットベースには足裏接触面部から傾斜角θ２を有して使用者の足指底面部を形成する。θ2＝１５０°が好適である。【選択図】図１
0003220730.tif 000002
【実用新案登録請求の範囲】
【請求項１】
断面Ｔ字状把持部材と、該断面Ｔ字状把持部材の垂直部の裏面に固着しかつ足裏接触面部及びこれに対し傾斜θ２に傾斜させてなる足指底面部とで構成される断面Ｌ字状フットベースと、前記断面Ｔ字状把持部材の基点部Ｐの水平位置から傾斜角θ１を形成して配置した着座部材と、該着座部材の中間位置の裏面に備えた当接板と、該当接板の下面に設置したマジックベルト固定部材と、該マジックベルト固定部材に接続された２つのマジックベルトと、前記着座部材の下面に備えた脚と、該着座部材の前方及び後方の表面に配置した敷座部材とでなることを特徴とする腰痛改善用ストレッチベンチである。
【考案の詳細な説明】
【技術分野】
【０００１】
本考案は、現腰痛者のみならず腰痛防止をする者やストレッチ愛好者等の使用者が利用する腰痛改善用ストレッチベンチに関する。
【背景技術】
【０００２】
この種、従来の技術に於ける技術としては登録実用新案第６１８１３３１号公報に開示した技術がある。これについて説明すれば、折り畳み式ベッド１がある。これは、フレーム部２〜４は、後方から前方に向かって位置している第１フレーム部２、第２フレーム部３、第３フレーム部４で構成されている。床板部は、下記第１ないし第３シート部２〜４の下部を構成するものであって図示しない。第１床板部材、第２床板部材、第３床板部材から構成されており、それぞれ第１フレーム部２、第２フレーム部３、第３フレーム部４に取り付けられている。接合された上記第１床板部材、第２床板部材、第３床板部材の上面を覆うようにシート部５ａ〜５ｃが設けられており、シート部５ａ〜５ｃは、例えば外側が撥水加工された布製のカバー内に、例えばウレタン製のマットが内蔵されたもので、長手方向に順次連続して、前方から後方に向かって配置された、第１シート部５ａ、第２シート部５ｂおよび第３シート部５ｃにより構成されている。第１シート部５ａの両方の側端部および後端部、第２シート部５ｂの両方の側端部および前端部には、後述する棒状のシート張設部材６が挿通される袋状に形成され両端が開口した挿通部が設けられている。第３シート部５ｃの前端部には、縁に沿ってシート接合用面ファスナー７が取り付けられている。シート５ａ〜５ｃは、第３シート部５ｃの前端面に設けられたシート接合用面ファスナーに着脱されるものであって、前記床板部の上面が第３シート部５ｃで覆われてシート接合用面ファスナー７に固定されると、第３シート部５ｃはベッドにおける脚乗せ部となる。図中８ａ〜８ｄは折り畳み式ベッド１の脚部である。
【先行技術文献】
【特許文献】
【０００３】
【特許文献１】登録実用新案第６１８１３３１号公報
【考案の開示】
【考案が解決しようとする課題】
【０００４】
従来の技術は叙上した構成、作用であるので次の課題が存在した。
すなわち、従来の技術では、上述した従来技術に於ける折り畳み式ベッド１では一般の健常者や老人等が休息するために横臥したり、仰向けて仮眠や睡眠するための簡易式のベッドである。勿論、その他椅子としても利用は可能である。これを収納するときは第１シート部５ａを第２シート部に重ね合わせさらに、脚部８ａ〜８ｄを折り畳むことにより該折り畳み式ベッド１を収納場所に移動して保管することとなる。
しかしながらかかる折り畳み式ベッド１は、傷病者を寝かせたまま運動するベッドや腰痛者又は老化防止用筋肉増強を企画するベッドつまりストレッチャーとしての機能は全くないという問題点があった。
【課題を解決するための手段】
【０００５】
本考案はかかる問題点を解決するために考案したものである。すなわち、断面Ｔ字状把持部材と、該断面Ｔ字状把持部材の垂直部の裏面に固着しかつ足裏接触面部及びこれに対し傾斜θ２に傾斜させてなる足指底面部とで構成される断面Ｌ字状フットベースと、前記断面Ｔ字状把持部材の基点部Ｐの水平位置から傾斜角θ１を形成して配置した着座部材と、該着座部材の中間位置の裏面に備えた当接板と、該当接板の下面に設置したマジックベルト固定部材と、該マジックベルト固定部材に接続された２つのマジックベルトと、前記着座部材の下面に備えた脚と、該着座部材の前方及び後方の表面に配置した敷座部材とでなることを特徴とする腰痛改善用ストレッチベンチを提供し、例えば腰痛改善等することを目的としたものであって、次の構成・手段から成立する。
すなわち請求項１記載の考案によれば、断面Ｔ字状把持部材と、該断面Ｔ字状把持部材の垂直部の裏面に固着しかつ足裏接触面部及びこれに対し傾斜θ２に傾斜させてなる足指底面部とで構成される断面Ｌ字状フットベースと、前記断面Ｔ字状把持部材の基点部Ｐの水平位置から傾斜角θ１を形成して配置した着座部材と、該着座部材の中間位置の裏面に備えた当接板と、該当接板の下面に設置したマジックベルト固定部材と、該マジックベルト固定部材に接続された２つのマジックベルトと、前記着座部材の下面に備えた脚と、該着座部材の前方及び後方の表面に配置した敷座部材とでなることを特徴とする腰痛改善用ストレッチベンチである。
【考案の効果】
【０００６】
本考案に係る腰痛改善用ストレッチベンチは叙上の構成を有するので、次の効果がある。
すなわち、請求項１に記載の考案によれば、断面Ｔ字状把持部材と、該断面Ｔ字状把持部材の垂直部の裏面に固着しかつ足裏接触面部及びこれに対し傾斜θ２に傾斜させてなる足指底面部とで構成される断面Ｌ字状フットベースと、前記断面Ｔ字状把持部材の基点部Ｐの水平位置から傾斜角θ１を形成して配置した着座部材と、該着座部材の中間位置の裏面に備えた当接板と、該当接板の下面に設置したマジックベルト固定部材と、該マジックベルト固定部材に接続された２つのマジックベルトと、前記着座部材の下面に備えた脚と、該着座部材の前方及び後方の表面に配置した敷座部材とでなることを特徴とする腰痛改善用ストレッチベンチを提供する。
このような構成としたので、使用者の前屈運動により足裏から足の頸部まで一気に筋肉が強化され、特に身体全般を支配している頸椎間より出ている神経の諸々の圧迫症状で起因する障害を軽減することができ、更にその圧迫症状を予防できるという効果がある。また、下腱筋肉増強により、血管の若返り効果が誘起されると共に、腹部横隔膜へのマッサージ効果も得ることができ、腸の動きも活発になるという効果がある。
【図面の簡単な説明】
【０００７】
【図１】本考案に係る腰痛改善用ストレッチベンチの一例を示す側面図である。
【図２】図１に示す腰痛改善用ストレッチベンチに適用する断面L字状フットベースの斜視図である。
【図３】本考案に係る腰痛改善用ストレッチベンチの使用状態を示す側面図である。
【図４】従来の技術に於ける折り畳み式ベッドを示す斜視図である。
【考案を実施するための形態】
【０００８】
以下、本考案の実施の形態について図面を参照しつつ説明する。
図１ないし図３は本考案の実施の形態にかかる図面であって、これについて説明し本考案を明らかにする。
９は考案に係る腰痛改善用ストレッチベンチである。１０は腰痛改善用ストレッチベンチ９の一部を構成する着座部材であって木材や金属材又は樹脂材等で製作され、上方から見れば例えば四角面体かつ１枚の板体で成る。使用者がこれを利用してストレッチ運動をする際、該腰痛改善用ストレッチベンチ９の表面に着座すると共に足を伸延する。本例では、１板で構成しているが２枚の着座部材１０Ａ、１０Ｂで複数個を組み合わせて製作し折り畳み式にしても良い。そして、腰痛改善用ストレッチベンチ９を使用するために設置するとき図示するように断面Ｔ字状把持部材１１の基点部Ｐの水平位置から傾斜角θ１を有して設置する。該傾斜角θ１＝３０°が好適であるが２０°ないし４０°に設定してもよい。
【０００９】
該着座部材１０の前方端には断面Ｔ字状把持部材１１を配置し、その垂直部１１ａの裏面に断面Ｌ字状フットベース１４の使用者の足裏接触面部１４ａを固着している。該断面Ｌ字状フットベース１４は該足裏接触面部１４ａから傾斜角θ２を有して使用者の足指底面部１４ｂを形成している。
ここで傾斜角θ２＝１４０°ないし１６０°であり、１５０°が好適であった。足裏接触面部１４ａから足指底面部１４ｂを形成している。前記断面Ｔ字状把持部材１１は垂直部１１ａの上端部に把持部１１ｂを備えてあり、該把持部１１ｂはその表面に所定間隔毎に複数段、本例では４段のハンドグリップ１２を列段している。該ハンドグリップ１２は例えば棒状で形成してあり、使用者が把持し易く、小円柱状の部品を把持部１１ｂに前方から後方に向って適宜間隔を有して配置してある。
【００１０】
図中１３は腰痛改善用ストレッチベンチ９の脚部であり、前記着座部材１０、本例では１０Ａの下面に備える。１３ａは脚部１３の先端に固定した支持具であって回転体等で製作してある。腰痛改善用ストレッチベンチ９を移動するとき設置床面を滑動する。前記着座部材１０の中間位置の裏面には当接板２１を設置しこれに２つのマジックベルト１５の端部を接続するマジックベルト固定部材１８を設置する。該マジックベルト１５は使用者の両脚が挿入できかつ被包できるように２本で構成すると共に伸縮自在に形成する。例えば弾性体材質を使用して製作する。図中、１６、１７は前記着座部材１０の表面に設置した敷座部材である。１９、２０は該敷座部材１６、１７の表面に形成した敷座カバーである。
【００１１】
次に図３に基づき本考案に係る腰痛改善用ストレッチベンチ９の使用方法について説明する。
使用者Ｍは着座部材１０の表面に腰をおろし、断面Ｌ字状フットベース１４に向け両足を伸ばす。そして、該断面Ｌ字状フットベース１４の足裏接触面部１４ａに両足を密着させる。両足底が平行になるように足型に沿ってセットする。この際、両足はマジックベルト１５のそれぞれに挿入し使用者の膝上部分に固定される。両足がフットベース面に密着しない人も足底腱膜とアキレス腱等のストレッチ効果が促進されるにつけ、足裏接触面部１４ａに密着するようになる。
マジックベルト１５を足の膝より少し上方で固定する。このとき足の膝が浮き動作を防止しストレッチ効果を防げるのを防ぐためである。
そして、使用者Ｍの上体をハンドクリップ１２の方向へ前屈していく。膝裏やふくらはぎ大腿裏に強いストレッチ感覚を誘起し、使用者Ｍにより筋腱に強い引きつき痛がある場合もあるが使用者Ｍの前屈が進み終了時点では解消するものである。
使用者Ｍの前屈運動によりストレッチが進むにつれハンドクリップ１２の位置が順次前方になっていき、使用者Ｍの尻部分の内部にある腰椎骨や仙椎骨を刺激すると共に腰神経、仙椎神経を和らげる機能を発揮する。そして、使用者の前屈運動により、足裏から足の頸部まで一気に筋肉が強化される。特に身体全般を支配している頸椎間より出ている神経の諸々の圧迫症状が起因の障害を軽減する。また、更なる腰痛予防への大きな効果が発揮される。特に下腱のストレッチにより、血管の若返り、腹部横隔膜へのマッサージ効果が得られ腸の動きも活発になる。
【実施例】
【００１２】
次に本考案に係る腰痛改善用ストレッチベンチの実施例について説明する。
上述の説明は腰痛改善用ストレッチベンチ９に於いて着座部材１０が１枚で固定状態の場合であるが、これを分割して折畳み形式とし断面Ｔ字状把持部材１１の基点部Ｐを回転軸としてや着座部材１０及び脚部１３を折り畳み可能に設計・構造すれば腰痛改善用ストレッチベンチ９持運びやこれを設置することもでき、便利となる。
【産業上の利用可能性】
【００１３】
本考案に係る腰痛改善用ストレッチベンチは現腰痛者のみならず腰痛防止をする者やストレッチ愛好者等の使用者が利用する腰痛改善用ストレッチベンチを提供するものであってその利用範囲は広いものである。
【符号の説明】
【００１４】
９          腰痛改善用ストレッチベンチ
１０        着座部材
１０Ａ      着座部材
１０Ｂ      着座部材
１１        断面Ｔ字状把持部材
１１ａ      垂直部
１１ｂ      把持部
１２        ハンドグリップ
１３        脚部
１３ａ      支持具
１４        断面Ｌ字状フットベース
１４ａ      足裏接触面部
１４ｂ      足指底面部
１５        マジックベルト
１６        敷座部材
１７        敷座部材
１８        マジックベルト固定部材
１９        敷座カバー
２０        敷座カバー
２１        当接板
【図１】
0003220730.tif 000003
【図２】
0003220730.tif 000004
【図３】
0003220730.tif 000005
【図４】
0003220730.tif 000006